(57)【要約】【課題】保存したデータのファイル管理を簡易な構成で実現する。【解決手段】画像を撮影するカメラ部４と、画像の撮影日時を取得する時計部７と、画像の撮影時における撮影装置の位置を取得するＧＰＳ受信部１１と、取得された撮影日時と撮影装置の位置とを用いて、既存のイベント情報の中から該当するイベント情報を検索する検索部２ａと、撮影データに、検索部２ａにて検索されたイベント情報を付与してメモリ部５に保存する保存制御部２ｂとを有する。【選択図】図１
2014011536.tif 000002
【特許請求の範囲】
【請求項１】
撮影装置であって、
画像を撮影する撮影手段と、
前記画像の撮影日時を取得する日時取得手段と、
前記画像の撮影時における当該撮影装置の位置を取得する位置取得手段と、
前記日時取得手段にて取得された撮影日時と、前記位置取得手段にて取得された前記撮影装置の位置とを用いて、既存のイベント情報の中から該当するイベント情報を検索する検索手段と、
前記撮影手段にて撮影された画像の撮影データに、前記検索手段にて検索されたイベント情報を付与して記憶手段に保存する保存制御手段とを有する撮影装置。
【請求項２】
請求項１に記載の撮影装置において、
前記検索手段は、ネットワークを介してイベント情報を検索する撮影装置。
【請求項３】
請求項１に記載の撮影装置において、
前記検索手段は、当該撮影装置に保存されたイベント情報の中から該当するイベント情報を検索する撮影装置。
【請求項４】
撮影装置にて撮影された画像の撮影データを記憶手段に保存するデータ保存方法であって、
画像を撮影する撮影処理と、
前記画像の撮影日時を取得する日時取得処理と、
前記画像の撮影時における当該撮影装置の位置を取得する位置取得処理と、
前記日時取得処理にて取得された撮影日時と、前記位置取得処理にて取得された前記撮影装置の位置とを用いて、既存のイベント情報の中から該当するイベント情報を検索する検索処理と、
前記撮影処理にて撮影された画像の撮影データに、前記検索処理にて検索されたイベント情報を付与して前記記憶手段に保存する保存処理とを有するデータ保存方法。
【請求項５】
請求項４に記載のデータ保存方法において、
前記検索処理は、ネットワークを介してイベント情報を検索するデータ保存方法。
【請求項６】
請求項４に記載のデータ保存方法において、
前記検索処理は、前記撮影装置に保存されたイベント情報の中から該当するイベント情報を検索するデータ保存方法。
【発明の詳細な説明】
【技術分野】
【０００１】
本発明は、携帯電話端末やタブレット端末、デジタルカメラ、ビデオカメラなどの撮影装置に関し、特に、撮影したデータを保存する際のデータ保存方法に関する。
【背景技術】
【０００２】
現在の携帯電話端末には、いつでもどこでも自由に撮影ができる便利さ故に、カメラ機能が標準搭載されており、且つ、内部メモリの記憶容量が増えたことで、写真や動画など撮影データを保存できる枚数も数百件、数千件と格段と増えている。
【０００３】
使用者が今までに気軽に撮影して保存した様々な写真の撮影データは、「ＤＣＩＭ１００」フォルダのファイル名「ＮＣＭ＿０００１．ＪＰＧ」などのように、固定文字と連番数字などを用いた所定のルールで自動的にファイル名が割り当てられ、内部メモリに順次保存されていく。
【０００４】
そうした中で、使用者が過去に撮影した、あるイベント時の特定の写真（例えば、アーティストのコンサート時に撮影した写真など）を見たい場合、内部メモリに保存され、連番で自動的に割り当てられたファイル名の撮影データの中から、データの１つ１つの中身を直接確認しなければならず、煩わしいと感じさせてしまう状況であった。
【０００５】
従来の技術では、こうした改善策として、撮影して保存した撮影データのファイル名を日付や時間で示すものがあるが、その情報だけでは、月日が経ってしまうとその撮影データがどういう事で撮影したのかよく分からなくなってしまうことも多く、大体の日時の撮影データのファイルの中身を確認していく事に変わりはない。
【０００６】
もちろん、撮影した撮影データに「どこで、いつ、だれと、何のために」等の情報が付加できれば、撮影データ閲覧時の検索は便利であるが、情報が多いほど、使用者が関連付ける為に撮影データへ入力しなければならず、撮影データ保存時の情報付加では操作に手間が掛かり、利便性の面では改善される事はない。
【０００７】
ここで、特許文献１には、撮影日時や撮影場所などの撮影時の付随情報から、撮影データに関する可能性が高いコンテキストを推定するルールベース推論エンジンを有するシステムが開示されている。このシステムでは、ルールベース推論エンジンによって推定されたコンテキストを撮影データに付与することで、撮影データの管理を容易にすることができる。
【先行技術文献】
【特許文献】
【０００８】
【特許文献１】特開２００２−１０１７８号公報
【発明の概要】
【発明が解決しようとする課題】
【０００９】
しかしながら、特許文献１に開示されたものは、撮影日時や撮影場所などの撮影時の付随情報から、撮影データに関する可能性が高いコンテキストを推定するルールベース推論エンジンという特殊なエンジンを使用するため、携帯電話端末やタブレット端末、デジタルカメラ、ビデオカメラなどの全ての機器に適用することができるとは限らない。
【００１０】
本発明は、上述したような技術が有する問題点に鑑みてなされたものであって、保存したデータのファイル管理を簡易な構成で実現することができる撮影装置及びデータ保存方法を提供することを目的とする。
【課題を解決するための手段】
【００１１】
上記目的を達成するために本発明は、
撮影装置であって、
画像を撮影する撮影手段と、
前記画像の撮影日時を取得する日時取得手段と、
前記画像の撮影時における当該撮影装置の位置を取得する位置取得手段と、
前記日時取得手段にて取得された撮影日時と、前記位置取得手段にて取得された前記撮影装置の位置とを用いて、既存のイベント情報の中から該当するイベント情報を検索する検索手段と、
前記撮影手段にて撮影された画像の撮影データに、前記検索手段にて検索されたイベント情報を付与して記憶手段に保存する保存制御手段とを有する。
【００１２】
また、撮影装置にて撮影された画像の撮影データを記憶手段に保存するデータ保存方法であって、
画像を撮影する撮影処理と、
前記画像の撮影日時を取得する日時取得処理と、
前記画像の撮影時における当該撮影装置の位置を取得する位置取得処理と、
前記日時取得処理にて取得された撮影日時と、前記位置取得処理にて取得された前記撮影装置の位置とを用いて、既存のイベント情報の中から該当するイベント情報を検索する検索処理と、
前記撮影処理にて撮影された画像の撮影データに、前記検索処理にて検索されたイベント情報を付与して前記記憶手段に保存する保存処理とを有する。
【発明の効果】
【００１３】
本発明によれば、撮影日時と撮影時の撮影装置の位置とを用いて、既存のイベント情報の中から該当するイベント情報を検索し、検索したイベント情報を撮影データに付与して保存するため、保存した撮影データのファイル管理を簡易な構成で実現することができる。
【図面の簡単な説明】
【００１４】
【図１】本発明の撮影装置の実施の一形態を示すブロック図である。
【図２】図１に示した携帯電話端末の内部で実行される処理を説明するためのフローチャートである。
【図３】図２に示した処理時における画面表示イメージを示す図である。
【図４】データフォルダ内の画面表示イメージを示す図である。
【発明を実施するための形態】
【００１５】
以下に、本発明の実施の形態について図面を参照して説明する。
【００１６】
図１は、本発明の撮影装置の実施の一形態を示すブロック図である。
【００１７】
本形態は図１に示すように、キー操作部３と、撮影手段であるカメラ部４と、記憶手段であるメモリ部５と、液晶表示部６と、日時取得手段である時計部７と、通信用アンテナ部８と、通信部９と、位置取得手段であるＧＰＳ受信アンテナ部１０及びＧＰＳ受信部１１と、制御部２とを有する携帯電話端末１である。
【００１８】
キー操作部３は、各種機能設定や文字入力などを行うものである。
【００１９】
カメラ部４は、写真や動画などの画像を撮影するものである。
【００２０】
メモリ部５は、各種機能設定や撮影データや様々なデータベースが保存されている。
【００２１】
液晶表示部６は、液晶画面に様々な情報を表示する。
【００２２】
時計部７は、時間をカウントするものであって、カメラ部４における画像の撮影日時を取得する。
【００２３】
通信部９は、通信用アンテナ部８を介して音声やデータの送受信を実行する。
【００２４】
ＧＰＳ受信部１１は、ＧＰＳ受信アンテナ部１０を介して人工衛星から発するＧＰＳ電波を受信することにより、携帯電話端末１の位置を取得する。
【００２５】
制御部２は、全制御処理を実施するものであって、検索部２ａと保存制御部２ｂとを有している。検索部２ａは、ＧＰＳ受信部１１にて取得された経緯度情報から、メモリ部５のデータベースを用いて施設名を割り出し、時計部７にて取得された撮影日時（日付）と施設名情報をキーワードとし、該当するイベント情報をネットワーク経由で自動で検索する。そして、検索結果から一番多く合致する情報（文言）の算出処理を実行し、得られた情報をテキスト化する。保存制御部２ｂは、メモリ部５に保存された撮影データに、検索したイベント情報またはタイトル情報として付加する。また、検索部２ａは、メモリ部５のデータベースを用いて割り出した施設名を、メモリ部５に保存された撮影データに付加してもよい。保存制御部２ｂは、メモリ部５に保存されている撮影データの保存先フォルダ名と撮影データファイル名に、「撮影日」や「タイトル名」を盛り込み、撮影データの中身を分かりやすく表記やファイル管理する。
【００２６】
上記のように構成された携帯電話端末１においては、カメラ部４における写真や動画などの画像の撮影または保存動作をトリガーとし、時計部７にて撮影日時を取得し、また、ＧＰＳ受信部１１にて撮影時の携帯電話端末１の位置を取得し、検索部２ａにおいて、ＧＰＳ受信部１１にて得られる撮影時の経緯度情報から住所や該当する施設名を割り出し、撮影日時と施設名をキーワードとして、通信部９を介してネットワーク経由で検索し、イベント情報を取得する。そして、保存制御部２ｂにおいて、取得したイベント情報を、カメラ部４にて撮影された画像の撮影データのタイトルとして、保存フォルダ名やファイル名に持たせる事で、撮影した撮影データに自動で情報付加が可能となる。
【００２７】
以下に、上述した携帯電話端末１の内部で実行される処理についてフローチャートを参照して説明する。
【００２８】
図２は、図１に示した携帯電話端末１の内部で実行される処理を説明するためのフローチャートである。図３は、図２に示した処理時における画面表示イメージを示す図である。
【００２９】
カメラ部４にて写真や動画などの画像を撮影し、その撮影データを携帯電話端末１のメモリ部５へ保存するためにＹＥＳボタンを押下するなどの操作をトリガーとして（ステップＳ２１，図３（ａ），図３（ｂ））、制御部２において、時計部７から撮影日時（データ作成日時）の情報が取得されるとともに（ステップＳ２２）、ＧＰＳ受信部１１から携帯電話端末１の経緯度が得られる。制御部２においては、この経緯度を元にメモリ部５に保存されている変換データベースから割り出した施設名の情報が取得される（ステップＳ２３）。
【００３０】
次に、検索部２ａにおいて、取得された“撮影日時”と“施設名”の情報をキーワードとし、ネットワーク経由で、「その日時にその場所で何のイベントがあったか」のイベント情報が自動で検索される（ステップＳ２４，図３（ｃ））。このように、“撮影日時”と“施設名”の情報をキーワードとして検索を行うことで、既存のイベント情報の中から該当するイベント情報を検索することができる。
【００３１】
制御部２においては、検索結果から得られたイベント情報を液晶表示部６に表示し、使用者に本内容をタイトルとして情報保持するか否かの確認を促す（ステップＳ２５，図３（ｄ））。
【００３２】
そして、検索されたイベント情報をタイトルとして用いる旨が、ＹＥＳボタンが押下されることによって指定された場合（ステップＳ２６）、制御部２において、イベント情報の文言がテキストデータ化され（ステップＳ２７）、保存制御部２ｂにおいて、撮影日とタイトルを名前に含んだ保存フォルダが作成され（ステップＳ２８）、メモリ部５に保存された撮影データを、そのフォルダ内に撮影日とタイトルおよび連番数字をファイルネームとして保存する（ステップＳ２９，図３（ｅ））。
【００３３】
例えば、埼玉スタジアムでのＪリーグ観戦で、携帯電話端末１を使って写真撮影を行ったとすると、時計部７から撮影日時の「２０１２年３月１７日１５：００」とＧＰＳ受信部１１から経緯度の「（35.90465,139.716554）」の情報が得られる。経緯度は施設名に変換され、「埼玉スタジアム」という情報が得られる。「２０１２年３月１７日」と「埼玉スタジアム」をネットワーク経由で検索すると、「Ｊリーグ」、「浦和」、「柏」に関する情報が数多く得られる事になる。この検索結果から一番多く合致する情報（文言）を算出処理し、「Ｊリーグ浦和対柏戦」というイベント情報が得られる。なお、時間を検索時のキーワードに含めるか否かは、任意で使用者が設定可能とする。
【００３４】
このイベント情報である「Ｊリーグ  浦和  対  柏戦」をタイトルとして用いる場合は、メモリ部５に「20120317_Ｊリーグ  浦和  対  柏戦フォルダ」が作成され、そのフォルダに撮影データは「20120317_Ｊリーグ  浦和  対  柏戦_001.jpg」というファイル名で保存される。続けての写真撮影時は、001部が連番で割り振られ、同一フォルダに順次保存されていく。
【００３５】
図４は、データフォルダ内の画面表示イメージを示す図である。
【００３６】
上述した処理により、図４に示すように、カメラ部４にて画像を撮影した後に、自動で保存フォルダや撮影データファイル名にイベントの内容を示すタイトルを付加する事が可能となり、携帯電話端末１内に保存されている撮影データのファイル管理が簡単となり、使用者の利便性を高める事が可能となる。
【００３７】
再び、フローの処理について説明する。
【００３８】
検索されたイベント情報が適正でなく、そのイベント情報をタイトルとして情報保持出来そうに無い場合は（ステップＳ２６）、使用者が直接タイトルを入力出来るようにする事で、ファイル管理という目的は達成する事が可能である（ステップＳ３１）。もちろん、この場合は使用者が、携帯電話端末１に備えている音声認識機能や、キー操作部３を用いての直接文字入力などによりタイトルを入力する事が必要で有り、使い勝手という観点では、改善出来ないが、ファイル管理での利便性は向上する事が可能となる。
【００３９】
もちろん、ファイル管理をしない場合には（ステップＳ３０）、従来どおり、撮影データは所定のフォルダに所定のファイル名で保存される（ステップＳ３２）。
【００４０】
このように、カメラ機能及びＧＰＳ（Global Positioning System：汎地球測位システム）機能を搭載する携帯電話端末１において、写真や動画などの画像の撮影データを保存する際に、所定のフォルダに連番名で保存するのではなく、画像の撮影日時とＧＰＳからの位置情報とを用いて、ネットワーク経由で、撮影した際のイベント情報を検索し、該当するイベント情報をタイトルとして、そのままファイル名・保存フォルダ名に自動で割り当てる事により、携帯電話端末１内に保存されている写真や動画などの画像の撮影データのファイル管理が簡単となり、使用者の利便性を高める事が可能となる。
【００４１】
（他の実施の形態）
上述した実施の形態においては、ネットワーク経由でイベント情報を検索するものを例に挙げて説明したが、例えば、家族旅行や子供の運動会など、公共のイベント以外となる個人の予定でのカメラ撮影シーンも複数考えられる。この場合は、ネットワーク経由で検索してもイベント情報は、ほぼ得られない事態が想定される。
【００４２】
そこで、携帯電話端末１のスケジュール機能に入力されてメモリ部５に保存されたイベント情報の中から該当するイベント情報を検索することが考えられる。例えば、スケジュール機能に東京ディズニーランドが家族旅行として入力されているとする。撮影日時がその家族旅行の日時であって、ＧＰＳから得られる施設名が東京ディズニーランドであった場合、その家族旅行としてスケジュール機能に入力されているタイトルが、フォルダ名やファイル名として付加される。これにより、カメラ部４にて撮影された画像の撮影データについて、携帯電話端末１に保存されているイベント情報を用いて、上記同様のファイル管理が可能となる。
【符号の説明】
【００４３】
１    携帯電話端末
２    制御部
２ａ    検索部
２ｂ    保存制御部
３    キー操作部
４    カメラ部
５    メモリ部
６    液晶表示部
７    時計部
８    通信用アンテナ部
９    通信部
１０    ＧＰＳ受信アンテナ部
１１    ＧＰＳ受信部
【図１】
2014011536.tif 000003
【図２】
2014011536.tif 000004
【図３】
2014011536.tif 000005
【図４】
2014011536.tif 000006